(57)【要約】      （修正有）【課題】人体（特に女性の乳房）に対して電磁波を良好に遮断するとともに、軽くて通気性がよく、着る物としての便利性、快適性を向上した電磁波輻射消除下着を提供する。【解決手段】ブラジャー等の下着を構成している布層の間に電磁波消除織布（ＥＭＩＦ）層を設置し、その電磁波消除織布（ＥＭＩＦ）層によって電磁波を遮蔽、消除するスクリーンを構成する。そのスクリーン層（電磁波消除織布）の厚さは、０．０５〜０．０８  ｍｍ、メッシュ数は８０〜２００、１Ｍ２の重さは２５ｇ〜４３ｇであり、電磁波消除織布（ＥＭＩＦ）層の応用によって、電磁波の女性乳房、或いは人体に対して遮蔽又は低減するとともに、服飾としての快適性・便利性を向上させるもの。【選択図】図１
0003134442.tif 000002
【実用新案登録請求の範囲】
【請求項１】
下着を構成している布層の間又は表面に、電磁波を遮蔽又は消除するスクリーン状の電磁波消除層が配置されていることを特徴とする電磁波輻射消除下着。
【請求項２】
前記下着が、一対のカプセルカップを有するブラジャーであって、
前記スクリーン状の電磁波消除層が織布からなり、
その電磁波消除層を構成する織布として、厚さ０．０５〜０．０８ｍｍ、メッシュ数８０〜２００のものが採用されていることを特徴とする請求項１記載の電磁波輻射消除下着。
【請求項３】
前記スクリーン状の電磁波消除層が、銀或いはニッケル銅合金を含有するナイロンから構成されていることを特徴とする請求項１記載の電磁波輻射消除下着。
【考案の詳細な説明】
【技術分野】
【０００１】
本考案は、服飾の下着と関係して、特に電磁波の危害を防止し、女性乳房等の人の身体に対して電磁波を遮蔽可能としたブラジャー等の電磁波輻射消除下着に関する。
【背景技術】
【０００２】
近年、電磁波の輻射による人体に対する傷害が人々の注目をますます引いている。電磁波輻射の人体に対する傷害については主に下記の要点としてまとめられる。
１．細胞の癌化を促進する。
２．内分泌の異常を引き起こし、生殖及び代謝機能に影響を与える。
３．人体の免疫力を低下させる。
４．カルシウムイオンの激しい流失による骨質骨粗鬆症等の異常を招く。
５．妊娠異常のおそれがある。
６．痴呆症を誘発する。
７．高血圧、心臓病を引き出す。
８．視覚システムの不良影響を発生する。
９．細胞失水を招き、皮膚および重要器官の老化過程を加速する。
【０００３】
このような電磁波の輻射による危害の重大視して世界衛生機構（ＷＨＯ）は、電磁波輻射を、水源、大気、騒音の後の第四番目の環境汚染源に認定している。すなわち、社会の発展に伴って、各種類の家用電器、パソコン及びデジタル製品の使用が普及するにつれて、電磁波の輻射が既に人類健康の元凶として存在しない所はなくなりつつある。資料に基づいて乳癌の例をみてみると、産業の発達した先進国における乳癌患者数は発展途上国の患者数より３〜５倍に高くなっている。これは、産業の発達した先進国においては、各種類の家用電器、パソコン及びデジタル製品品等が幅広く使用されていることによって、電磁波輻射の強度が大幅に増えていることと関係している。
【０００４】
台湾地域における一つ調査研究結果では、パソコンに関係する仕事に長期間たずさわる女性の乳癌発病率は、一般的なパソコンを用いない仕事の女性従業員よりも４３％高い。パソコンの前で長期間仕事をすると乳癌の発病率が増えるのである。流行病学の調査結果によれば、２０世紀の７０年代における中国の大都市での乳癌の年間発病率は２３／１０万程度であったが、現在、中国の上海、北京、天津等の大都市における乳癌の年発病率は、すべて４０／１０万以上となっており、倍近くまで増えている。近年、この発病率は毎年２．４％のスピードて増え続けており、乳癌は、既に女性発病率が最も高い病理となっている。
【０００５】
このように電磁波輻射が女性の乳癌発病率を増加させる事実があることからしてみると、電磁波輻射を消除することが女性の乳癌発病率を低下させる上で好ましいと思料される。本願考案者は、このような発想を元にしてブラジャー等の電磁波消除下着を開発したものである。
【０００６】
【特許文献１】特開２００４−１８１２５１号公報
【考案の開示】
【考案が解決しようとする課題】
【０００７】
すなわち、本考案の目的は、人体（特に女性の乳房）に対して電磁波を良好に遮断するとともに、軽くて通気性がよく、着る物としての便利性、快適性を向上した電磁波輻射消除下着を提供することにある。
【課題を解決するための手段】
【０００８】
上記本考案にかかる目的は、下着を形成している布層の間又は表面に、電磁波を遮蔽又は消除するスクリーン状の電磁波消除層、すなわちＥＭＩ層が設置された電磁波輻射消除下着により達成される。
【０００９】
このとき、前記下着が一対のカプセルカップを有するブラジャーであって、前記スクリーン状の電磁波消除（ＥＭＩ）層が織布からなり、その電磁波消除（ＥＭＩ）層を構成する織布として厚さ０．０５〜０．０８ｍｍ、メッシュ数８０〜２００のものが採用されることが可能である。
【００１０】
また、前記スクリーン状の電磁波消除（ＥＭＩ）層が、銀或いはニッケル銅合金を含有するナイロンから構成されることが可能である。
【考案の効果】
【００１１】
本願考案にかかる電磁波消除下着をブラジャーに適用したものについて、中国の国立測定センターの測定結果では、強度の異る電磁波輻射を９９．９９％〜９９．９９９％消除し、消除効果が１００％に近いことが判明した。本願考案にかかるブラジャー等の下着は、パソコンを触るオフィス女性が長時間にわたって使える外、一般的な仕事される女性も使える。これは、電磁波輻射の源が広範であり、携帯電話、電子レンジ、テレビ、その他一般的な家用電器（冷蔵庫、洗濯機、電気ポート等）、及びパソコン周辺機器などから電磁波輻射が強く発生していることが理由である。電磁波輻射が存在しない所がないと考えれば、電磁波消除ブラジャーなどの下着などを使用するだけで、人体に対する電磁波輻射による傷害が大幅に低減されものると考えられる。
【００１２】
すなわち、本願考案による有益な効果は以下の通りである。
１．周波数の１０〜３０００ＭＨｚ範囲内の電磁波に対するスクリーン作用は、中国国立測試センター（上海）の測定結果によれば、４２．２〜６０．８ｄＢ或いは９９．９９３９７〜９９．９９９９２％であり、現有の各種類の家用電器、パソコンから発生する電磁波がほぼ完全にカットされることによってよって、人体に対して電磁波が遮断又は低減される。
２．電磁波消除織布層、すなわちＥＭＩＦ層によるスクリーン層が、一般的なブラジャー等の下着の材料と比べ、薄く、軽い。単位平方ｍ（Ｍ２）重さは、例えば２５〜４３ｇ程度である。また、ナイロン等の材質は柔軟であることから、ブラジャー等の下着の製造には便利であり、さらに装着感においても不快感がない。
３．電磁波消除織布（ＥＭＩＦ）層によるスクリーン層の通気性が良好である。金属成分を含む場合には、静電防止作用や抗菌作用を持つ。
４．電磁波消除織布（ＥＭＩＦ）層によるスクリーン層が金属成分を含有する場合には、ブラジャー等の下着の弾性、耐久性、伸縮性が良好となる。
５．ほかの服装と組み合わせれば、日常の服飾の全過程において電磁波輻射が良好に防止される。
【考案を実施するための最良の形態】
【００１３】
以下、本考案を下着の一例としてブラジャーに適用した実施形態について詳細に説明する。
【００１４】
まず、図１に示されている女性の常用下着としてのブラジャーは、以下の構造を有している。左右対称に配置された二つのカプセルカップ１どうしが、中間連結部分を介して接続されているとともに、これら一対のカプセルカップ１の外端縁部分には、ふちひも３がそれぞれ連結されている。これら二つのふちひも３の端末部分には、結び目鈎或いはボタン４が設けられており、身体への装着時には、上記カプセルカップ１を左右乳房に別々に合わせてかぶせ、その後に両辺側のふちひも３を背後にまわして囲み、上述した結び目鈎或いはボタン４どうしをかけ合わせる。乳房位置を引き上げる或いは校正するために、背ひも２が設置されており、二本の設置した左右対称する背ひも２の一方の端末は、それに対応するカプセルカップ１の上ふちと連結され、他方の端末は、それに対応するふちひも３の上ふちと連結されている。
【００１５】
そして、異なる体つきに対して良好に装着されるために、前記背ひも２の上には長さ調節装置２１が設置されており、乳房の弧度に合わせて上記カプセルカップ１の乳房をしっかり支えるの機能を充分発揮して、よりよく胸の形態を調節するために上述したカプセルカップ１の下ふち部分には記憶合金性の輪が設置されている。
【００１６】
ここで、上述したカプセルカップ１は、図２に示されているように、数層の材料から形成されており、一般的なカプセルカップ１と同様に、表面層１１、弾性層１２、裏地１３、及び下層１４が設けられている。カプセルカップ１においては、乳房を覆う面積によって、全カップ式、３／４式、５／８式、１／２式等がある。美しい形となるようにカプセルカップ１の周りには、縁飾りや蕾糸などが飾られる。
【００１７】
そして、本実施形態では、上記した各種類の型番のブラジャー（下着）を基本構造として、前記カプセルカップ１の中に、本考案にかかる電磁波消除（ＥＭＩ）層が、電磁波の遮蔽・消除を行うスクリーン層を構成するように、図２中の織布からなる裏地１３として設置されている。この電磁波消除織布（ＥＭＩＦ）を構成するスクリーン層としての織布裏地１３は、銀或いはニッケル銅合金を含有するナイロンからなり、厚さは０．０５〜０．０８ｍｍ、重さは２５〜４３ｇ／ｍ２、メッシュ数は８０〜２００となっている。
【００１８】
また、上述した織布裏地１３として設置された電磁波を消除するスクリーン層による電磁波に対するスクリーン遮蔽作用を、中国国立測試センター（上海）において測定した結果、下記の［表１］に示されているように、周波数が１０〜３０００ＭＨｚの範囲内の電磁波に対して、４２．２〜６０．８ｄＢ或いは９９．９９３９７〜９９．９９９９２％であることが判明した。これは、現状における各種類の家庭用電器、パソコン等から発生する電磁波をほぼ完全にカットするものである。従って、本実施形態によって人体に対する電磁波輻射が回避又は低減されることとなる。
【表１】
0003134442.tif 000003
【００１９】
以上、本考案者によってなされた考案を実施形態に基づき具体的に説明したが、本考案は上述した実施形態に限定されるものではなく、その要旨を逸脱しない範囲で種々変形可能であるというのはいうまでもない。
【００２０】
例えば、上述した実施形態では、ブラジャーに対して本考案を適用したものであるが、その他の多種多様な下着に対しても本考案は同様に適用することができるものである。
【産業上の利用可能性】
【００２１】
本願考案は、ブラジャーをはじめとして多種多様な下着について適用することが可能である。
【図面の簡単な説明】
【００２２】
【図１】本願考案を適用したブラジャーの構造を表した外観斜視説明図である。
【図２】図１中のＡ−Ａ線に沿った縦断面説明図である。
【符号の説明】
【００２３】
１  カプセルカップ
３  ふちひも
４  結び目鈎或いはボタン
２  背ひも
２１  調節装置
１１  表面層
１２  弾性層
１３  織布裏地（電磁波消除織布（ＥＭＩＦ））
１４  下層
【図１】
0003134442.tif 000004
【図２】
0003134442.tif 000005